(57)【要約】【課題】観光スポット検索を行うユーザに対して観光スポットに関する情報を提供する際、該ユーザがいずれの観光スポットにするか迷っている状態を考慮し、併せて観光スポットに紐付けられた施設の広告を提供可能な装置及びその方法を提供する。【解決手段】観光エリアと、該観光エリア内に位置する観光スポット及び該観光スポットの案内情報を含む観光スポット情報とを関連付けて保存する保存部と、該観光エリア内の施設に関する広告情報を、該観光スポットに紐付けて保存する保存部とを備え、該観光スポットの該観光スポット情報の提供要求に応じて該観光スポット情報を提供し、移動体端末の現在位置が該観光エリア内に位置するとき、該観光スポット情報の提供要求の操作回数をカウントし、該カウント値が第１の閾値回数を超えたときトリガ信号を出力し、該トリガ信号を受けて、該要求された観光スポットに紐付けられた施設に関する広告情報を提供する。【選択図】図１
2014191183.tif 000002
【特許請求の範囲】
【請求項１】
移動体端末に搭載される広告提供装置であって、
観光エリアと、該観光エリア内に位置する観光スポット及び該観光スポットの案内情報を含む観光スポット情報とを関連付けて保存する観光スポット情報保存部と、
前記観光エリア内の前記観光スポット以外の施設に関する広告情報を、前記観光スポットに紐付けて保存する広告情報保存部と、
前記観光スポットの該観光スポット情報の提供を要求する情報要求部と、
前記要求された観光スポットの該観光スポット情報を提供する第１の情報提供部と、
前記移動体端末の現在位置が前記観光エリア内に位置するか否かを判定する位置判定部と、
前記判定の結果、前記移動体端末の現在位置が前記観光エリア内に位置するとき、前記情報要求部における前記観光スポット情報の提供要求の操作回数をカウントする第１のカウンタと、
前記第１のカウンタのカウント値が第１の閾値回数を超えたとき、トリガ信号を出力するトリガ部と、
前記出力されたトリガ信号を受けて、前記要求された観光スポットに紐付けられた施設に関する広告情報を提供する第２の情報提供部と、
を備える、広告提供装置。
【請求項２】
前記判定の結果、前記移動体端末の現在位置が前記観光エリア内に位置するとき、前記情報要求部における前記観光スポット情報の提供要求の操作時間をカウントする第２のカウンタ、を備え、
前記トリガ部は、更に、前記第２のカウンタのカウント値が第２の閾値時間を超えたとき、前記トリガ信号を出力する、
請求項１に記載の広告提供装置。
【請求項３】
前記情報要求部における要求操作に関する履歴を蓄積する履歴蓄積部と、
前記蓄積された履歴に基づいて、前記第１の閾値回数及び／又は前記第２の閾値時間を演算する演算部と、を備え、
前記トリガ部は、前記演算された第１の閾値回数及び／又は前記演算された第２の閾値時間に基づいて、前記トリガ信号を出力する、
請求項１又は２に記載の広告提供装置。
【請求項４】
前記第２の情報提供部で提供された施設に関する広告情報を選択する選択部と、
前記観光スポット情報保存部を参照して、前記選択された広告情報に対応する施設が紐付けられた観光スポットを抽出する抽出部と、
前記抽出された観光スポットの該観光スポット情報を提供する第３の情報提供部と、
を備える、請求項１〜３のいずれか一項に記載の広告提供装置。
【請求項５】
移動体端末に広告を提供する広告提供方法であって、
観光エリアと、該観光エリア内に位置する観光スポット及び該観光スポットの案内情報を含む観光スポット情報とを関連付けて、観光スポット情報保存部に保存する観光スポット情報保存ステップと、
前記観光エリア内の前記観光スポット以外の施設に関する広告情報を、前記観光スポットに紐付けて保存する広告情報保存ステップと、
情報要求部が、前記観光スポットの該観光スポット情報の提供を要求する情報要求ステップと、
第１の情報提供部が、前記要求された観光スポットの該観光スポット情報を提供する第１の情報提供ステップと、
位置判定部が、前記移動体端末の現在位置が前記観光エリア内に位置するか否かを判定する位置判定ステップと、
第１のカウンタが、前記判定の結果、前記移動体端末の現在位置が前記観光エリア内に位置するとき、前記情報要求ステップにおける前記観光スポット情報の提供要求の操作回数をカウントする第１のカウントステップと、
トリガ部が、前記第１のカウントステップにおけるカウント値が第１の閾値回数を超えたとき、トリガ信号を出力するトリガステップと、
第２の情報提供部が、前記出力されたトリガ信号を受けて、前記要求された観光スポットに紐付けられた施設に関する広告情報を提供する第２の情報提供ステップと、
を備える、広告提供方法。
【請求項６】
第２のカウンタが、前記判定の結果、前記移動体端末の現在位置が前記観光エリア内に位置するとき、前記情報要求ステップにおける前記観光スポット情報の提供要求の操作時間をカウントする第２のカウンタステップ、を備え、
前記トリガステップでは、更に、前記第２のカウンタステップにおけるカウント値が第２の閾値時間を超えたとき、前記トリガ信号を出力する、
請求項５に記載の広告提供方法。
【請求項７】
履歴蓄積部が、前記情報要求ステップにおける要求操作に関する履歴を蓄積する履歴蓄積ステップと、
演算部が、前記蓄積された履歴に基づいて、前記第１の閾値回数及び／又は前記第２の閾値時間を演算する演算ステップと、を備え、
前記トリガステップでは、前記演算された第１の閾値回数及び／又は前記演算された第２の閾値時間に基づいて、前記トリガ信号を出力する、
請求項５又は６に記載の広告提供方法。
【請求項８】
選択部が、前記第２の情報提供ステップにおいて提供された施設に関する広告情報を選択する選択ステップと、
抽出部が、前記観光スポット情報保存部を参照して、前記選択された広告情報に対応する施設が紐付けられた観光スポットを抽出する抽出ステップと、
第３の情報提供部が、前記抽出された観光スポットの該観光スポット情報を提供する第３の情報提供ステップと、
を備える、請求項５〜７のいずれか一項に記載の広告提供方法。
【請求項９】
移動体端末に広告を提供するためのコンピュータプログラムであって、コンピュータを、
観光エリアと、該観光エリア内に位置する観光スポット及び該観光スポットの案内情報を含む観光スポット情報とを関連付けて保存する観光スポット情報保存手段と、
前記観光エリア内の前記観光スポット以外の施設に関する広告情報を、前記観光スポットに紐付けて保存する広告情報保存手段と、
前記観光スポットの該観光スポット情報の提供を要求する情報要求手段と、
前記要求された観光スポットの該観光スポット情報を提供する第１の情報提供手段と、
前記移動体端末の現在位置が前記観光エリア内に位置するか否かを判定する位置判定手段と、
前記判定の結果、前記移動体端末の現在位置が前記観光エリア内に位置するとき、前記情報要求手段における前記観光スポット情報の提供要求の操作回数をカウントする第１のカウント手段と、
前記第１のカウント手段のカウント値が第１の閾値回数を超えたとき、トリガ信号を出力するトリガ手段と、
前記出力されたトリガ信号を受けて、前記要求された観光スポットに紐付けられた施設に関する広告情報を提供する第２の情報提供手段、
として機能させる、コンピュータプログラム。
【請求項１０】
前記コンピュータを、更に、
前記判定の結果、前記移動体端末の現在位置が前記観光エリア内に位置するとき、前記情報要求手段における前記観光スポット情報の提供要求の操作時間をカウントする第２のカウント手段、として機能させ、
前記トリガ手段は、更に、前記第２のカウント手段のカウント値が第２の閾値時間を超えたとき、前記トリガ信号を出力する、
請求項９に記載のコンピュータプログラム。
【請求項１１】
前記コンピュータを、更に、
前記情報要求手段における要求操作に関する履歴を蓄積する履歴蓄積手段と、
前記蓄積された履歴に基づいて、前記第１の閾値回数及び／又は前記第２の閾値時間を演算する演算手段、として機能させ、
前記トリガ手段は、前記演算された第１の閾値回数及び／又は前記演算された第２の閾値時間に基づいて、前記トリガ信号を出力する、
請求項９又は１０に記載のコンピュータプログラム。
【請求項１２】
前記コンピュータを、更に、
前記第２の情報提供手段で提供された施設に関する広告情報を選択する選択手段と、
前記観光スポット情報保存手段を参照して、前記選択された広告情報に対応する施設が紐付けられた観光スポットを抽出する抽出手段と、
前記抽出された観光スポットの該観光スポット情報を提供する第３の情報提供手段、
として機能させる、請求項９〜１１のいずれか一項に記載のコンピュータプログラム。
【請求項１３】
請求項９〜請求項１２のいずれかに記載のコンピュータプログラムを記録する記録媒体。
【発明の詳細な説明】
【技術分野】
【０００１】
本発明は、観光スポット検索を行うユーザに対して観光スポットに関する情報を提供する際、該ユーザがいずれの観光スポットにするか迷っている状態を考慮し、併せて観光スポットに紐付けられた施設の広告を提供可能な装置及びその方法に関する。
【背景技術】
【０００２】
近年、スマートフォン等の移動体端末装置の普及と相まって、ユーザに観光地等における観光スポットを提供することを目的とするアプリケーションの開発が広く行われている。そして、このような観光案内アプリを利用して旅行計画を立てる観光客が増加してきている。
上記観光案内アプリによれば、いずれの観光スポットを巡るか、予め綿密な行程を決める際の利便性はもとより、特に計画なしに観光地に到着した後、行き当たりばったりで気の向くままに行き先を決める際にも利便性が良い。
一方、観光地の土産物店等の各種施設は、当該観光地を訪れたユーザの移動体端末に対して、当該施設の情報を欲している可能性の高いユーザをターゲットとして、集客のための効果的な広告提供を行いたいと望んでいる。
ここで、特許文献１には、上記ユーザの移動体端末に対して、該移動体端末の現在地が含まれる地域内に存在する店舗や観光地の情報を、該移動体端末からの要求の有無にかかわらず、該移動体端末に対して送信する技術が開示されている。
本発明に関連する従来技術を開示する特許文献２も参照されたい。
【先行技術文献】
【特許文献】
【０００３】
【特許文献１】特開２００９−２１０４００号公報
【特許文献２】特開２００９−３００４５１号公報
【発明の概要】
【発明が解決しようとする課題】
【０００４】
本発明者は、上記施設の広告主が、観光地を訪れたユーザに対して、効果的に広告を提供することを可能とすべく鋭意検討を重ねてきた。その結果、以下の点に気がついた。
上記観光案内アプリにおいて、観光スポットと当該観光スポット周辺の土産物店等の施設の広告とが紐付けられていることが多い。また、上述のように、観光案内アプリを利用すれば、行き当たりばったりであっても行き先を決めるには便利であるものの、観光スポットに関する情報のみでは行き先に迷うユーザも存在する。そこで、このようなユーザに対して、観光スポット周辺の施設の広告を提供すれば、当該広告を考慮してその観光スポットに決定する後押しが可能となり、ひいては当該施設への集客を促すことができる。
そこで、本発明者は、観光スポット検索において、観光スポットの該観光スポット情報の提供を要求する操作回数等に着目して、ユーザが行き先に迷っているか否かを判定し、行き先に迷っていると判定されたユーザに対して、要求された観光スポットの該観光スポット情報と併せて、当該観光スポット周辺の施設の広告を提供することにより、集客のための効果的な広告提供を行うことができることに想到した。
【課題を解決するための手段】
【０００５】
この発明は上述の課題に鑑みてなされたものであり、その第１の局面は次のように規定される。即ち、
移動体端末に搭載される広告提供装置であって、
観光エリアと、該観光エリア内に位置する観光スポット及び該観光スポットの案内情報とを含む観光スポット情報とを関連付けて保存する観光スポット情報保存部と、
前記観光エリア内の前記観光スポット以外の施設に関する広告情報を、前記観光スポットに紐付けて保存する広告情報保存部と、
前記観光スポットの該観光スポット情報の提供を要求する情報要求部と、
前記要求された観光スポットの該観光スポット情報を提供する第１の情報提供部と、
前記移動体端末の現在位置が前記観光エリア内に位置するか否かを判定する位置判定部と、
前記判定の結果、前記移動体端末の現在位置が前記観光エリア内に位置するとき、前記情報要求部における前記観光スポット情報の提供要求の操作回数をカウントする第１のカウンタと、
前記第１のカウンタのカウント値が第１の閾値回数を超えたとき、トリガ信号を出力するトリガ部と、
前記出力されたトリガ信号を受けて、前記要求された観光スポットに紐付けられた施設に関する広告情報を提供する第２の情報提供部と、
を備える、広告提供装置。
【０００６】
このように規定される第１の局面の広告提供装置によれば、移動体端末の現在位置が観光エリア内に位置するとき、移動体端末からの観光スポット情報の提供要求の操作回数をカウントし、該カウントされたカウント値が第１の閾値回数を超えたとき、上記提供要求に応じて、該観光スポットの観光スポット情報と該観光スポットに紐付けられた施設に関する広告情報を提供する。このように移動体端末の提供要求の操作回数から、ユーザが観光スポットの行き先に迷っているか否かを判定し、迷っているユーザを判定する。そして、当該ユーザに対して、提供要求された観光スポットの該観光スポット情報と併せて、該観光スポットに決定する後押し材料としての施設の広告を提供することにより、結果として集客のための効果的な広告提供が可能となる。また、当該装置によれば、行き先に迷っていないユーザに対しては施設の広告の提供を行わないため、広告主にとっては無駄な広告提供を抑制することができ、該ユーザに対しては煩わしい情報提供を抑制することができる。
【０００７】
この発明の第２の局面は次のように規定される。即ち、
第１の局面に規定の広告提供装置において、前記判定の結果、前記移動体端末の現在位置が前記観光エリア内に位置するとき、前記情報要求部における前記観光スポット情報の提供要求の操作時間をカウントする第２のカウンタ、を備え、
前記トリガ部は、更に、前記第２のカウンタのカウント値が第２の閾値時間を超えたとき、前記トリガ信号を出力する。
このように規定される第２の局面の広告提供装置によれば、上記提供要求の操作回数に加え、操作時間を考慮して、上記行き先に迷うユーザを判定する。このため、ユーザの操作状況をより反映して、上記行き先に迷うユーザを判定することが可能となる。
【０００８】
この発明の第３の局面は次のように規定される。即ち、
第１又は第２の局面に規定の広告提供装置において、前記情報要求部における要求操作に関する履歴を蓄積する履歴蓄積部と、
前記蓄積された履歴に基づいて、前記第１の閾値回数及び／又は前記第２の閾値時間を演算する演算部と、を備え、
前記トリガ部は、前記演算された第１の閾値回数及び／又は前記演算された第２の閾値時間に基づいて、前記トリガ信号を出力する。
このように規定される第３の局面の広告提供装置によれば、ユーザの操作履歴に基づいて、上記施設の広告情報を提供するトリガとなる上記提供要求の操作回数、操作時間の閾値を演算する。このため、上記行き先に迷うユーザを判定するに際し、ユーザ固有の行動パターンを考慮することが可能となる。
【０００９】
この発明の第４の局面は次のように規定される。即ち、
第１〜第３のいずれかの局面に規定の広告提供装置において、前記第２の情報提供部で提供された施設に関する広告情報を選択する選択部と、
前記観光スポット情報保存部を参照して、前記選択された広告情報に対応する施設が紐付けられた観光スポットを抽出する抽出部と、
前記抽出された観光スポットの該観光スポット情報を提供する第３の情報提供部と、を備える。
このように規定される第４の局面の広告提供装置によれば、上記提供された施設の広告情報のうち一の広告情報の選択を受け付けたとき、該選択された広告情報に対応する施設が紐付けられた観光スポットを抽出し、該観光スポットの観光スポット情報を提供する。ユーザが選択した広告情報に対応する施設への興味や魅力、嗜好等を、観光スポット決定の後押しに反映させることができる。また、当該選択された広告情報に対応する施設に基づいて、該施設に紐付けられた観光スポットを逆引きすることにより、ユーザが提供要求した観光スポット以外の観光スポットの情報を提供することができる。すなわち、ユーザの嗜好等を中心とした観光スポットを複数提供することができるため、ユーザの観光スポット決定の選択幅を広げるとともに、ユーザ集客力の向上を図ることができる。
【００１０】
また、この発明の第５の局面は次のように規定される。即ち、
移動体端末に広告を提供する広告提供方法であって、
観光エリアと、該観光エリア内に位置する観光スポット及び該観光スポットの案内情報を含む観光スポット情報とを関連付けて、観光スポット情報保存部に保存する観光スポット情報保存ステップと、
前記観光エリア内の前記観光スポット以外の施設に関する広告情報を、前記観光スポットに紐付けて保存する広告情報保存ステップと、
情報要求部が、前記観光スポットの該観光スポット情報の提供を要求する情報要求ステップと、
第１の情報提供部が、前記要求された観光スポットの該観光スポット情報を提供する第１の情報提供ステップと、
位置判定部が、前記移動体端末の現在位置が前記観光エリア内に位置するか否かを判定する位置判定ステップと、
第１のカウンタが、前記判定の結果、前記移動体端末の現在位置が前記観光エリア内に位置するとき、前記情報要求ステップにおける前記観光スポット情報の提供要求の操作回数をカウントする第１のカウントステップと、
トリガ部が、前記第１のカウントステップにおけるカウント値が第１の閾値回数を超えたとき、トリガ信号を出力するトリガステップと、
第２の情報提供部が、前記出力されたトリガ信号を受けて、前記要求された観光スポットに紐付けられた施設に関する広告情報を提供する第２の情報提供ステップと、
を備える、広告提供方法。
このように規定される第５の局面の発明によれば、第１の局面と同等の効果を奏する。
【００１１】
この発明の第６の局面は次のように規定される。即ち、
第５の局面に規定の方法において、第２のカウンタが、前記判定の結果、前記移動体端末の現在位置が前記観光エリア内に位置するとき、前記情報要求ステップにおける前記観光スポット情報の提供要求の操作時間をカウントする第２のカウンタステップ、を備え、
前記トリガステップでは、更に、前記第２のカウンタステップにおけるカウント値が第２の閾値時間を超えたとき、前記トリガ信号を出力する。
このように規定される第６の局面の発明によれば、第２の局面と同等の効果を奏する。
【００１２】
この発明の第７の局面は次のように規定される。即ち、
第５又は第６の局面に規定の方法において、履歴蓄積部が、前記情報要求ステップにおける要求操作に関する履歴を蓄積する履歴蓄積ステップと、
演算部が、前記蓄積された履歴に基づいて、前記第１の閾値回数及び／又は前記第２の閾値時間を演算する演算ステップと、を備え、
前記トリガステップでは、前記演算された第１の閾値回数及び／又は前記演算された第２の閾値時間に基づいて、前記トリガ信号を出力する。
このように規定される第７の局面の発明によれば、第３の局面と同等の効果を奏する。
【００１３】
この発明の第８の局面は次のように規定される。即ち、
第５〜第７のいずれかの局面に規定の方法において、選択部が、前記第２の情報提供ステップにおいて提供された施設に関する広告情報を選択する選択ステップと、
抽出部が、前記観光スポット情報保存部を参照して、前記選択された広告情報に対応する施設が紐付けられた観光スポットを抽出する抽出ステップと、
第３の情報提供部が、前記抽出された観光スポットの該観光スポット情報を提供する第３の情報提供ステップと、を備える。
このように規定される第８の局面の発明によれば、第４の局面と同等の効果を奏する。
【００１４】
更に、この発明の第９の局面は次のように規定される。即ち、
移動体端末に広告を提供するためのコンピュータプログラムであって、コンピュータを、
観光エリアと、該観光エリア内に位置する観光スポット及び該観光スポットの案内情報を含む観光スポット情報とを関連付けて保存する観光スポット情報保存手段と、
前記観光エリア内の前記観光スポット以外の施設に関する広告情報を、前記観光スポットに紐付けて保存する広告情報保存手段と、
前記観光スポットの該観光スポット情報の提供を要求する情報要求手段と、
前記要求された観光スポットの該観光スポット情報を提供する第１の情報提供手段と、
前記移動体端末の現在位置が前記観光エリア内に位置するか否かを判定する位置判定手段と、
前記判定の結果、前記移動体端末の現在位置が前記観光エリア内に位置するとき、前記情報要求手段における前記観光スポット情報の提供要求の操作回数をカウントする第１のカウント手段と、
前記第１のカウント手段のカウント値が第１の閾値回数を超えたとき、トリガ信号を出力するトリガ手段と、
前記出力されたトリガ信号を受けて、前記要求された観光スポットに紐付けられた施設に関する広告情報を提供する第２の情報提供手段、
として機能させる、コンピュータプログラム。
このように規定される第９の局面の発明によれば、第１の局面と同等の効果を奏する。
【００１５】
この発明の第１０の局面は次のように規定される。即ち、
第９の局面に規定のコンピュータプログラムにおいて、前記コンピュータを、更に、
前記判定の結果、前記移動体端末の現在位置が前記観光エリア内に位置するとき、前記情報要求手段における前記観光スポット情報の提供要求の操作時間をカウントする第２のカウント手段、として機能させ、
前記トリガ手段は、更に、前記第２のカウント手段のカウント値が第２の閾値時間を超えたとき、前記トリガ信号を出力する。
このように規定される第１０の局面の発明によれば、第２の局面と同等の効果を奏する。
【００１６】
この発明の第１１の局面は次のように規定される。即ち、
第９又は第１０の局面に規定のコンピュータプログラムにおいて、前記コンピュータを、更に、
前記情報要求手段における要求操作に関する履歴を蓄積する履歴蓄積手段と、
前記蓄積された履歴に基づいて、前記第１の閾値回数及び／又は前記第２の閾値時間を演算する演算手段、として機能させ、
前記トリガ手段は、前記演算された第１の閾値回数及び／又は前記演算された第２の閾値時間に基づいて、前記トリガ信号を出力する。
このように規定される第１１の局面の発明によれば、第３の局面と同等の効果を奏する。
【００１７】
この発明の第１２の局面は次のように規定される。即ち、
第９〜第１１のいずれかの局面に規定のコンピュータプログラムにおいて、前記コンピュータを、更に、
前記第２の情報提供手段で提供された施設に関する広告情報を選択する選択手段と、
前記観光スポット情報保存手段を参照して、前記選択された広告情報に対応する施設が紐付けられた観光スポットを抽出する抽出手段と、
前記抽出された観光スポットの該観光スポット情報を提供する第３の情報提供手段、として機能させる。
このように規定される第１２の局面の発明によれば、第４の局面と同等の効果を奏する。
【００１８】
第９〜第１２のいずれかの局面に規定されるコンピュータプログラムを記録する記録媒体が第１３の局面として規定される。
【図面の簡単な説明】
【００１９】
【図１】本発明の実施の形態の広告提供装置１の構成を示すブロック図である。
【図２】本発明の実施の形態の広告提供装置１の動作の一例を示すフローチャートである。
【図３】本発明の他の実施の形態の広告提供装置２１の構成を示すブロック図である。
【図４】本発明の他の実施の形態の広告提供装置３１の構成を示すブロック図である。
【図５】本発明の他の実施の形態の広告提供装置４１の構成を示すブロック図である。
【図６】本発明の実施例の移動体端末装置５１の構成を示すブロック図である。
【図７】本発明の実施例の広告提供システム６１の構成を示すブロック図である。
【発明を実施するための形態】
【００２０】
この発明の実施の形態の広告提供装置を説明する。
図１に、広告提供装置１の概略構成を示す。
図１に示すように、この広告提供装置１は、観光スポット情報保存部３、広告情報保存部５、情報要求部７、第１の情報提供部９、位置判定部１１、第１のカウンタ１３、トリガ部１５及び第２の情報提供部１７を備えている。
この装置１は、移動体端末に搭載されて用いられる。当該移動体端末装置は、ユーザが携帯可能な通信端末装置であり、例えば、携帯電話機、ＰＤＡ（Ｐｏｒｔａｂｌｅ Ｄｉｇｉｔａｌ Ａｓｓｉｓｔａｎｔｓ）、携帯ゲーム機、ノート型ＰＣ、ＰＮＤ（Ｐｏｒｔａｂｌｅ Ｎａｖｉｇａｔｉｏｎ Ｄｅｖｉｃｅ）、車載ナビゲーション装置、スマートフォン等が挙げられる。
【００２１】
観光スポット情報保存部３には、観光エリアと、該観光エリア内に位置する観光スポット及び該観光スポットの案内情報とを含む観光スポット情報とが関連付けて保存される。当該観光スポットとしては、例えば、城、寺社、史跡、名所、文化財、城、塔、著名な建築物等が挙げられる。上記観光スポットの案内情報とは、当該観光スポットを案内するための情報であって、例えば、観光スポットの内容、観光スポット位置、開閉門時間、散策や参拝に要する所要時間等が挙げられる。上記観光スポットには、更に、観光エリアに関する情報が関連付けられている。当該観光エリアは、例えば、上記観光スポットを包含するエリアであって、観光地の外縁に基づいて予め定められたエリアとすることとできる。例えば、一あるいは二以上の行政区画に基づいてエリアを定めることとできる。他の例としては、上記観光スポットの座標に基づき、該座標位置を中心とした所定範囲内を観光エリアとすることとできる。この場合において、一定領域内に複数の観光スポットが存在する場合には、各観光スポットの座標位置から形成される所定範囲の領域の外縁を観光エリアとすることとしても良い。具体的に、観光スポット情報保存部３には、金閣寺、銀閣寺、京都御所、嵐山、仁和寺等の観光スポットとのその案内情報とが、観光エリアとしての京都エリアと関連付けて保存されることとできる。
【００２２】
広告情報保存部５には、上記観光エリア内の上記観光スポット以外の施設に関する広告情報が、上記観光スポットに紐付けて保存されている。当施設としては、例えば、食事処や甘味処等の飲食店、土産物店等が挙げられる。当該施設に関する広告情報としては、例えば、当該施設の名称、位置、営業時間、ジャンル、人気度、口コミ情報等が挙げられる。また、上記施設毎あるいは広告情報毎にＩＤを付与し、併せて保存しても良い。上記施設に関する広告情報は、一の観光スポットに紐付いていても良く、また、二以上の観光スポットに紐付いていても良い。具体的には、金閣寺及び仁和寺の周辺に位置する施設「Ａ屋」の広告情報が、金閣寺及び仁和寺に紐付けて保存されることとできる。また、上記施設がチェーン店等のように一の施設に対して複数の店舗が存在する場合、上記施設に関する広告情報は、当該施設毎に備えられていても良く、また、当該店舗毎に備えられていても良い。具体的には、施設「Ｂ屋」にチェーン店として店舗「丸太町店」、「金閣寺店」、「嵐山店」が存在する場合、上記広告情報は、施設「Ｂ屋」に対応して備えられていても良いし、「Ｂ屋／丸田町店」、「Ｂ屋／金閣寺店」、「Ｂ屋／嵐山店」のように各店舗を一施設として店舗毎に対応するよう備えられていても良い。前者の場合、施設「Ｂ屋」の広告情報に対して、店舗「丸太町店」、「金閣寺店」、「嵐山店」に夫々対応する観光スポット「京都御所」、「金閣寺」、「嵐山」が一纏めに紐付けられていても良く、また、施設「Ｂ屋」の広告情報内に各店舗の詳細情報を含んでいる場合には、各店舗に対して、夫々の観光スポットが紐付けられていても良い。
【００２３】
情報要求部７は、後述する第１の情報提供部９及び第２の情報提供部１７に、上記観光スポットの観光スポット情報の提供要求を受け付ける。当該要求を受け付ける方法は特に限定されないが、観光スポットが一覧表示されたリストから、あるいは、地図データに基づいてディスプレイに表示された地図上の観光スポットから、情報要求のボタン等をクリックすること等により上記要求を受け付けることができる。
第１の情報提供部９は、上記観光スポット情報保存部３を参照して、上記情報要求部７から提供の要求をされた観光スポットに関連付けられた観光スポット情報を提供する。当該提供は、後述の出力部を介して行うこととできる。
位置判定部１１は、後述の端末位置特定部で特定される移動体端末の現在位置が上記観光エリア内に位置するか否かを判定する。当該判定は、上記情報要求部７において情報要求された観光スポットに関連付けられた観光エリアに基づいて行うこととできる。
【００２４】
第１のカウンタ１３は、上記判定の結果、上記移動体端末の現在位置が上記観光エリア内に位置するとき、上記情報要求部７における上記観光スポット情報の提供要求の操作回数をカウントする。当該カウントの方法は、特に限定されないが、上記情報要求のボタンをクリックした回数等をカウントすることとできる。当該カウントされた操作回数は、一定時間（例えば、１時間）を経過後リセットされる。他の例として、例えば、上記情報要求部７の要求に応じて提供された観光スポット情報のうち、特定の観光スポットを目的地として設定したときや、一定時間（例えば、１時間）内に特定の観光スポットへ移動したことが確認されたとき、上記情報要求操作を開始した時の移動体端末の位置から一定距離（例えば、１ｋｍ）以上移動したことが確認されたとき、上記リセットされることとしても良い。当該移動体端末の移動は、後述の端末位置特定部で特定される位置に基づいて確認することとできる。
【００２５】
トリガ部１５は、上記第１のカウンタ１３のカウント値が第１の閾値回数を超えたとき、後述の第２の情報提供部１７へトリガ信号を出力する。当該第１の閾値回数は、上記情報要求の操作を行うユーザが、表示されている観光スポットのうち、いずれを選択するか決めかねている状況を反映できる回数であれば良く、予め定めておくこととしても良いし（例えば、３回）、後述するようにユーザの操作履歴を考慮して適宜定めることとしても良い。
第２の情報提供部１７は、上記トリガ部１５から出力されたトリガ信号を受けると、上記広告情報保存部５を参照して、上記情報要求部７から提供の要求をされた観光スポットに紐付けられた施設に関する広告情報を提供する。当該提供は、上記第１の情報提供部９で行う提供と併せて行うこととできる。また、上記提供は、第１の情報提供部９と同様、後述の出力部を介して行うこととできる。
【００２６】
図２を用いて、図１に示す広告提供装置１の動作の一例を説明する。
まず、ステップ１では、情報要求部７は、上記観光スポット情報保存部３に保存された観光スポット情報に基づいて表示された観光スポットの一覧リストから、ユーザが所望する観光スポットの情報要求を受け付ける。
ステップ３では、第１の読出部（図示しない）は、上記観光スポット情報保存部３から、ステップ１で情報要求された観光スポットに関連付けられた観光スポット情報を読み出す。
ステップ５では、第２の読出部（図示しない）は、上記広告情報保存部５から、ステップ１で情報要求された観光スポットに紐付けられた施設に関する広告情報を読み出す。
【００２７】
ステップ７では、位置判定部１１は、後述の端末位置特定部で特定された移動体端末の現在位置が、ステップ１で情報要求された観光スポットに関連付けられた観光エリア内に位置するか否か判定する。当該判定の結果、当該移動体端末装置の現在位置が当該観光エリア内に位置するとき（ステップ９：Ｙｅｓ）、ステップ１１へ進む。一方、ステップ９においてＮｏのとき、ステップ１９へ進む。
ステップ１１では、第１のカウンタ１３は、ステップ１の情報要求の操作回数をプラス１カウントする。当該カウントの結果、当該カウント値が第１の閾値以上（この例において、３回以上）であるとき（ステップ１３：Ｙｅｓ）、トリガ部１５は、トリガ信号を出力する（ステップ１５）。一方、ステップ１３においてＮｏのとき、ステップ１９へ進む。
【００２８】
ステップ１７では、第１の情報提供部９はステップ３で読み出された観光スポット情報を、第２の情報提供部１７はステップ５で読み出された施設の広告情報を、併せて提供する。
ステップ１９では、第１の提供部９はステップ３で読み出された観光スポット情報を提供する。
上記のステップ９においてＮｏのとき、ステップ１９へ進むこととしたが、そのまま終了することとしても良い。
【００２９】
図３に、他の実施の形態の広告提供装置２１を示す。図３において、図１と同一の要素には同一の符号を付して、その説明を部分的に省略する。
図３に示すのは、上記情報提供操作を行うユーザが、表示されている観光スポットのうち、いずれを選択するか決めかねている状況をより良く反映可能な広告提供装置２１である。すなわち、当該装置２１は、図１に示す装置１において、第２のカウンタ２３を更に備え、トリガ部１５に代えてトリガ部２５を備える。
【００３０】
第２のカウンタ２３は、上記判定の結果、上記移動体端末の現在位置が上記観光エリア内に位置するとき、上記情報要求部７における上記観光スポット情報の提供要求の操作時間をカウントする。当該カウントの方法は、特に限定されないが、上記情報要求の操作を開始してからの継続時間をカウントすることとできる。当該カウントされた操作時間は、上記第１のカウンタ１３と同様の条件によりリセットされることとできる。
この装置２１において、トリガ部２５は、上記第１のカウンタ１３及び上記第２のカウンタ２３を参照し、操作回数が第１の閾値回数を超え、かつ、操作時間が第２の閾値時間を超えたとき、上記第２の情報提供部１７へ上記トリガ信号を出力する。当該第２の閾値時間についても、上記第１の閾値回数と同様、ユーザが観光スポットの選択を決めかねている状況を反映できる時間であれば良く、予め定めておくこととしても良いし（例えば、３分間）、ユーザの操作履歴を考慮して適宜定めることとしても良い。
【００３１】
図４に、他の実施の形態の広告提供装置３１を示す。図４において、図１及び図３と同一の要素には同一の符号を付して、その説明を部分的に省略する。
図４に示すのは、上記第１のカウンタにおける第１の閾値回数をユーザの操作履歴に基づいて設定可能な広告提供装置３１である。すなわち、当該装置３１は、図１に示す装置１において、履歴蓄積部３３及び演算部３５を更に備え、トリガ部１５に代えてトリガ部３７を備える。
【００３２】
履歴蓄積部３３は、上記情報要求部７における要求操作に関する履歴を蓄積する。当該履歴蓄積部３３は、例えば、要求操作ごとに、当該要求操作を行った位置や時間を関連付けて蓄積することとできる。また、上記観光スポット情報の提供により目的地を設定したことが判定可能である場合には、当該目的地設定のために行われた情報要求の操作履歴を一群として蓄積することとしても良い。当該履歴蓄積部３３は、当該装置３１の起動とともに上記蓄積処理を開始することとできる。当該蓄積された履歴は、当該装置３１の終了に伴い、あるいは、一定期間経過後に、自動でリセットされることとしても良いし、ユーザの手動でリセットされることとしても良い。また、過去の操作履歴を重ねて蓄積することとしても良い。
【００３３】
演算部３５は、上記履歴蓄積部３３に蓄積された履歴に基づいて、上記第１の閾値回数を演算する。当該演算の方法としては、特に限定されないが、上記要求操作に関連付けられた要求操作位置や時間に基づいて、近接する位置、時間に行われた要求操作回数の平均を演算することとできる。また、上記情報要求の操作履歴を一群として蓄積している場合には、該群における要求操作回数の平均を演算しても良い。この例において、演算部３５は、第１の閾値回数について演算したが、第２の閾値時間についても上記と同様に演算することとできる。
この装置３１において、トリガ部３７は、上記演算された第１の閾値回数に基づいて、上記第２の情報提供部１７へ上記トリガ信号を出力する。
【００３４】
図５に、他の実施の形態の広告提供装置４１を示す。図５において、図１、図３及び図４と同一の要素には同一の符号を付して、その説明を部分的に省略する。
図５に示すのは、ユーザが興味を示した施設の広告情報に基づき、該施設が関連付けられた観光スポットの情報を提供可能な広告提供装置４１である。すなわち、当該装置４１は、図１に示す装置１において、選択部４３、抽出部４５及び第３の情報提供部４７を更に備える。
選択部４３は、上記第２の情報提供部１７で提供された施設の広告情報に対するユーザの選択を受け付ける。当該選択を受け付ける方法は特に限定されないが、例えば、ディスプレイに表示された上記提供された施設の広告情報をクリックすることにより上記選択を受け付けることができる。
【００３５】
抽出部４５は、上記観光スポット情報保存部３を参照して、上記選択部４３で選択された広告情報に対応する施設が紐付けられた観光スポットを抽出する。当該抽出の方法は、特に限定されないが、例えば、施設に対応して付与されたＩＤや施設名称に基づいて抽出することとできる。当該施設名称に基づいて抽出する場合、当該施設名称が完全に一致することとしても良く、また、前方一致あるいは部分的に一致することとしても良い。具体的には、上記情報要求部７で「金閣寺」の情報要求がされ、上記第２の情報提供部１７において提供された広告情報のうち上記施設「Ａ屋」の広告情報が選択された場合、当該施設「Ａ屋」に紐付けられた「金閣寺」及び「仁和寺」を観光スポットとして抽出することとできる。この場合において、上記情報要求７で情報要求された観光スポット以外の観光スポット「仁和寺」のみを抽出することとしても良い。他の例として、上記施設「Ｂ屋」の例において一の施設に対して複数の店舗が存在するときであって、上記広告情報保存部５内に各店舗を一施設として店舗毎に広告情報が備えられている場合には、選択された施設、例えば、施設「Ｂ屋／丸田町店」に基づいて、前方一致等により抽出される施設「Ｂ屋／金閣寺店」、「Ｂ屋／嵐山店」に紐付けられた「金閣寺」及び「嵐山」を観光スポットとして抽出することとできる。この例において、抽出部４５は、上記広告情報に対応する施設に基づいて観光スポットを抽出したが、他の例として、上記広告情報に対応する施設のジャンルに基づいて観光スポットを抽出することとしても良い。当該抽出された観光スポットは、該観光スポットに関連付けられた観光スポット情報とともに、後述の第３の情報提供部４７に送られる。
【００３６】
第３の情報提供部４７は、上記抽出部４５で抽出された観光スポットの該観光スポット情報を提供する。当該提供の方法は、特に限定されないが、観光スポットの情報と併せて、上記抽出部４５において抽出元となった施設の広告情報を提供することとしても良い。当該提供は、後述の出力部を介して行うこととできる。
【００３７】
図６に、実施例の移動体端末装置５１を示す。図６において、図１、図３、図４及び図５と同一の要素には同一の符号を付して、その説明を部分的に省略する。
図６に示すのは、図１に示す装置１を備えた移動体端末装置５１である。この移動体端末装置５１は、制御部５１０、メモリ部５１１、入力部５１２、出力部５１３、インターフェース部５１４、端末位置特定部５１５、観光スポット情報保存部３、広告情報保存部５、情報要求部７、第１の情報提供部９、位置判定部１１、第１のカウンタ１３、トリガ部１５及び第２の情報提供部１７を備えている。
【００３８】
制御部５１０はＣＰＵ、バッファメモリその他の装置を備えたコンピュータ装置であり、移動体端末装置５１を構成する他の要素を制御する。
メモリ部５１１にはコンピュータプログラムが保存され、このコンピュータプログラムはコンピュータ装置である制御部５１０に読み込まれて、これを機能させる。このコンピュータプログラムは、移動体端末装置の記憶装置としての内蔵ハードディスク又は内蔵メモリ、移動体端末装置に差し替え可能な記憶媒体としてのＳＤ（登録商標）メモリカード、メモリスティック、スマートメディア、コンパクトフラッシュ（登録商標）、ＤＶＤ等の汎用的な媒体へ保存できる。
入力部５１２は、例えば、ユーザの指令の入力に用いられる。具体的には、上記情報要求部７における情報要求操作等に用いられる。入力部５１２として、マウス、ライトペン又はディスプレイの表示内容と協働するタッチパネル等のポインティングデバイスやキーボード又はマイクロホン等の音声入力装置を用いることができる。
【００３９】
出力部５１３はディスプレイを含み、上記情報要求部７における情報要求のための観光スポットの一覧リストや地図、上記第１の情報提供部９で提供する観光スポット及び該観光スポット情報、上記第２の情報提供部１７で提供する施設に関する広告情報、その他の情報を表示する。この出力部５１３は音声発信部を含むこともできる。
インターフェース部５１４は移動体端末装置５１を無線ネットワーク等へ連結させる。
端末位置特定部５１５は、ＧＰＳ装置やジャイロ装置により端末装置の現在の位置情報を特定する。併せて、現在時刻を特定することもできる。
【００４０】
図７は、この発明の実施例の広告提供システム６１のブロック図である。図７において、図１、図３、図４、図５及び図６と同一の要素には同一の符号を付して、その説明を部分的に省略する。
図７に示すのは、上記広告提供装置１の構成の一部をサーバ装置で実施可能な広告提供システム６１である。すなわち、このシステム６１は、移動体端末装置６３及びサーバ装置６５を備えており、当該移動体端末装置６３とサーバ装置６５とはネットワークＮを介して無線接続されている。なお、以下の例では、サーバ側に位置判定部１１、第１のカウンタ１３及びトリガ部１５を備えることとしているが、これに限られず、当該構成を移動体端末側に備えることとしても良い。
【００４１】
移動体端末装置６３は、ユーザが携帯可能な通信端末装置であり、例えば、携帯電話機、ＰＤＡ（Ｐｏｒｔａｂｌｅ Ｄｉｇｉｔａｌ Ａｓｓｉｓｔａｎｔｓ）、携帯ゲーム機、ノート型ＰＣ、ＰＮＤ（Ｐｏｒｔａｂｌｅ Ｎａｖｉｇａｔｉｏｎ Ｄｅｖｉｃｅ）、車載ナビゲーション装置等が挙げられる。特に、スマートフォンが好適である。
移動体端末装置６３は、制御部５１０、メモリ部５１１、入力部５１２、出力部５１３、インターフェース部５１４、端末位置特定部５１５、通信部６３１及び情報要求部７を備える。
【００４２】
端末側通信部６３１は、各種情報をサーバ装置６５へ送信する送信部と、各種情報をサーバ装置６５から受信する受信部とを備える。当該端末側通信部６３１が送信する情報としては、例えば、上記端末位置特定部５１５で特定された移動体端末の位置や時間、上記情報要求部７における要求操作に関する情報等が挙げられる。また、当該端末側通信部６３１が受信する情報としては、例えば、上記情報要求部７における情報要求のための観光スポットの一覧リストや地図、上記第１の情報提供部９で提供する観光スポット及び該観光スポット情報、上記第２の情報提供部１７で提供する施設に関する広告情報等が挙げられる。
【００４３】
サーバ装置６５は、移動体端末装置６３から送信された、上記移動体端末の位置や時間、上記情報要求の操作に関する情報等の情報を受信し、ユーザが情報要求を行うための観光スポットの一覧リストや地図、当該情報要求に対応する観光スポットの該観光スポット情報及び上記施設の広告情報を移動体端末装置６３に送信する。
サーバ装置６５は、制御部６５１、メモリ部６５２、インターフェース部６５３、通信部６５４、観光スポット情報保存部３、広告情報保存部５、第１の情報提供部９、位置判定部１１、第１のカウンタ１３、トリガ部１５及び第２の情報提供部１７を備える。
【００４４】
サーバ側制御部６５１はＣＰＵ、バッファメモリその他の装置を備えたコンピュータ装置であり、サーバ装置６５を構成する他の要素を制御する。
サーバ側メモリ部６５２にはコンピュータプログラムが保存され、このコンピュータプログラムはコンピュータ装置であるサーバ側制御部６５１に読み込まれて、これを機能させる。このコンピュータプログラムはＤＶＤ等の汎用的な媒体へ保存できる。
サーバ側インターフェース部６５３はサーバ装置６５を無線ネットワーク等へ連結させる。
【００４５】
サーバ側通信部６５４は、各種情報を移動体端末装置６３へ送信する送信部と、各種情報を移動体端末装置６３から受信する受信部とを備える。当該サーバ側通信部６５４が送信する情報としては、例えば、上記情報要求部７における情報要求のための観光スポットの一覧リストや地図、上記第１の情報提供部９で提供する観光スポット及び該観光スポット情報、上記第２の情報提供部１７で提供する施設に関する広告情報等が挙げられる。また、当該サーバ側通信部６５４が受信する情報としては、例えば、上記端末位置特定部５１５で特定された移動体端末の位置や時間、上記情報要求部７における要求操作に関する情報等が挙げられる。
【００４６】
以上、本発明の実施の形態及び実施例について説明してきたが、これらのうち、２つ以上の実施の形態（実施例）を組み合わせて実施しても構わない。あるいは、これらのうち、１つの実施の形態（実施例）を部分的に実施しても構わない。さらには、これらのうち、２つ以上の実施の形態（実施例）を部分的に組み合わせて実施しても構わない。
【００４７】
この発明は、上記発明の実施の形態及び実施例の説明に何ら限定されるものではない。特許請求の範囲の記載を逸脱せず、当業者が容易に想到できる範囲で種々の変形態様もこの発明に含まれる。
【符号の説明】
【００４８】
１  ２１  ３１  ４１  広告提供装置
３  観光スポット情報保存部
５  広告情報保存部
７  情報要求部
９  １７  ４７  情報提供部
１１  位置判定部
１３  ２３  カウンタ
１５  ２５  ３７  トリガ部
３３  履歴蓄積部
３５  演算部
４３  選択部
４５  抽出部
【図１】
2014191183.tif 000003
【図２】
2014191183.tif 000004
【図３】
2014191183.tif 000005
【図４】
2014191183.tif 000006
【図５】
2014191183.tif 000007
【図６】
2014191183.tif 000008
【図７】
2014191183.tif 000009